(57)【特許請求の範囲】
【請求項１】
安全性システムであって、
携帯可能な工作機械と、
靴着用者を機械的および／または電気的な負荷からパッシブに防護するパッシブな防護ユニット（１２）と、センサユニット（１６）と、電子データの交換のための通信ユニット（３０）と、を有する安全靴（１０）と、
を含み、
前記センサユニット（１６）は、
前記靴着用者が安全に立っていることを認識するための加速度特性量を検出する加速度センサ素子（７４）を含み、
前記安全靴（１０）は、
前記検出された加速度特性量を利用した、前記靴着用者の筋肉組織の緊張、前記靴着用者の自由落下の有無、および／または、前記靴着用者のスリップの評価に基づいて、前記靴着用者が安全に立っていることを認識する評価ユニット（２６）を有し、
前記通信ユニット（３０）を介して転送される、前記評価ユニット（２６）における前記靴着用者が安全に立っていることの認識結果に応じて、前記携帯可能な工作機械の安全性機能が制御および／または調整される
ことを特徴とする安全性システム。
【請求項２】
前記センサユニット（１６）は、
温度特性量を検出する温度センサ素子（１８，２０，２２）を含んでいる
ことを特徴とする請求項１に記載の安全性システム。
【請求項３】
前記センサユニット（１６）は、
圧力特性量を検出する圧力センサ素子（２４）を含んでいる
ことを特徴とする請求項１又は２に記載の安全性システム。
【請求項４】
前記評価ユニット（２６）は、
靴底負荷分布を認識するために前記検出された圧力特性量を評価する
ことを特徴とする請求項３に記載の安全性システム。
【請求項５】
前記センサユニット（１６）は、
位置特性量を検出する測位センサ素子（２８）を有している
ことを特徴とする請求項１〜４のいずれか１項に記載の安全性システム。
【請求項６】
前記安全靴（１０）は、
個人関連の特性量および／または環境特性量に依存してパラメータを適合化する制御ユニットおよび／または調節ユニット（３４）を有している
ことを特徴とする請求項１〜５のいずれか１項に記載の安全性システム。
【請求項７】
前記制御ユニットおよび／または調節ユニット（３４）は、
前記パラメータの適合化および／または安全性情報の出力のために、安全性規則および／または動作範囲規則が格納された中央のデータバンクへ前記通信ユニット（３０）によってアクセスする
ことを特徴とする請求項６に記載の安全性システム。
【請求項８】
前記センサユニット（１６）は、
少なくとも部分的に、前記パッシブな防護ユニット（１２）のパッシブな防護部材（３６，３８）の内部または表面に配置されている
ことを特徴とする請求項１〜７のいずれか１項に記載の安全性システム。
【請求項９】
前記安全靴（１０）は、
エネルギー供給ユニット（４０）および／またはエネルギー蓄積ユニット（４２）を有している
ことを特徴とする請求項１〜８のいずれか１項に記載の安全性システム。
【請求項１０】
前記安全靴（１０）は、
前記靴着用者に、触覚式、音響式、および／または、光学式に情報を出力する出力ユニット（４４）を有している
ことを特徴とする請求項１〜９のいずれか１項に記載の安全性システム。
【請求項１１】
前記安全靴（１０）は、
情報を地面へ投影する投影ユニット（４８）を有している
ことを特徴とする請求項１〜９のいずれか１項に記載の安全性システム。
【請求項１２】
前記安全靴（１０）は、
作業領域を照明する照明ユニット（４６）を有している
ことを特徴とする請求項１〜１１のいずれか１項に記載の安全性システム。
【発明の詳細な説明】
【技術分野】
【０００１】
特許文献１より、靴着用者を少なくとも機械的および／または電気的な負荷からパッシブに防護するために意図されるパッシブな防護ユニットと、少なくとも防護機能および／または快適性機能を可能化するための特性量を検出するために意図されるセンサユニットを有するアクティブな防護ユニットとを含む作業靴、特に安全靴がすでに公知である。このときセンサユニットは、過負荷防護機能を可能化するために、作業靴の足指防護キャップ部材の負荷特性量を検出するために意図される。
【背景技術】
【０００２】
本発明は、靴着用者を少なくとも機械的および／または電気的な負荷からパッシブに防護するために意図される少なくとも１つのパッシブな防護ユニットと、少なくとも防護機能および／または快適性機能を可能化するための少なくとも１つの特性量を検出するために意図される少なくとも１つのセンサユニットを有する少なくとも１つのアクティブな防護ユニットとを有する作業靴、特に安全靴を前提とする。
【先行技術文献】
【特許文献】
【０００３】
【特許文献１】韓国公開特許第２００２−００６１６６２号公報
【発明の概要】
【０００４】
センサユニットが、少なくとも１つの個人関連の特性量および／または少なくとも１つの環境特性量を少なくとも検出するために意図されることが提案される。「個人関連の特性量」とは、ここでは特に、作業靴の靴着用者の少なくとも１つの生体値を定義する特性量、および／または作業靴の靴着用者の挙動に依存する特性量、たとえば作業靴に対する靴着用者の力作用の方向および／または場所を意味するものとする。このとき個人関連の特性量は、使用者固有の作業靴負荷種類、特に作業靴の靴底負荷種類として、着用者負荷、たとえば騒音負荷および／または振動負荷として、作業靴の靴着用者の脈拍として、作業靴の靴着用者の体温として、作業靴の靴着用者の疲労特性量として、着用者姿勢特性量として、靴運動特性量として、または当業者に有意義と思われるその他の個人関連の特性量として構成されていてよい。「環境特性量」とは、ここでは特に、作業靴を取り囲む環境を定義する特性量を意味するものとする。このとき環境特性量は環境圧力として、環境温度として、環境音響レベルとして、環境ガス特性量として、環境応力特性量として、環境湿度特性量として、環境酸特性量および／または環境塩基特性量として、または当業者に有意義と思われるその他の環境特性量として構成されていてよい。
【０００５】
「安全靴」という概念は、ここでは特に、ＥＮＩＳＯ２０３４５に掲げる基準のうち少なくとも１つの基準を満たす靴の種類を定義するものとする。したがってパッシブな防護ユニットは、少なくとも１つの足指防護キャップ部材および／または少なくとも１つの踏抜防護部材を含んでいる。このとき足指防護キャップ部材は鋼材またはプラスチックで構成されていてよい。足指防護キャップ部材は、特に、少なくとも２００Ｊの衝撃エネルギーに対する防護作用と、少なくとも１５ｋＮの圧力負荷に対する防護作用を有しているのが好ましい。踏抜防護部材は鋼材またはファブリック構造物、たとえばケブラー構造物で形成されていてよい。踏抜防護部材は作業靴の靴底の層として、特に中間層として構成されるのが好ましい。作業靴の靴底は耐油性および／または耐燃料性、電気絶縁性および／または耐熱性に構成されるのが好ましい。さらに作業靴は、安全靴に関してＥＮＩＳＯ２０３４５に挙げられている、当業者に有意義と思われるその他の特性を有することができる。パッシブな防護ユニットはエネルギー供給不要に構成されているのが特別に好ましい。パッシブな防護ユニットは、パッシブな防護ユニットの防護部材の材料特性または幾何学特性の結果として、作業靴の靴着用者を防護するために意図されるのが好ましい。「意図される」とは、特に特別に設計されていること、および／または特別に装備していることを意味するものとする。ある部材および／またはユニットが特定の機能のために意図されるとは、特に、その部材および／またはユニットが、その特定の機能を少なくとも１つの適用状態および／または動作状態のときに履行および／または遂行することを意味するものとする。
【０００６】
本発明に基づく作業靴の構成によって危険状況を認識できるという利点があり、作業靴の靴着用者を危険から守ることができるという利点がある。さらに、センサデータを用いて少なくとも１つの快適性機能が監視および／または適合化されることによって、高い着用快適性を実現できるという利点がある。このように、高い程度の着用安全性および／または着用快適性を提供できる作業靴を提供することができるという特別な利点がある。
【０００７】
さらにセンサユニットは、靴着用者が安全に立っていることを評価するために少なくとも援用可能である少なくとも１つの加速度特性量を検出するために意図される少なくとも１つの加速度センサ素子を含んでいることが提案される。このとき加速度センサ素子は多軸の加速度センサ素子として、特に３軸の加速度センサ素子として、ヨーレートセンサ素子として、圧電式の加速度センサ素子として、微小電気機械式のシステム（ＭＥＭＳ）からなる加速度センサ素子として、または当業者に有意義と思われるその他の加速度センサ素子として構成されていてよい。本発明に基づく構成により、好ましくは靴着用者が安全に立っていることに関する推定を可能にする、個人関連の特性量を低コストに判定できるという利点がある。たとえば靴着用者の筋肉の痙攣によって引き起こされる加速度特性量、たとえばつま先で立ったときの筋肉組織の緊張などの結果として検出可能であり、これを靴着用者が安全に立っていることの評価のために援用可能である。たとえば筋肉組織が緊張すると、筋肉の痙攣が２から１２Ｈｚまたはそれ以上の周波数領域で起こることがあり、このことを靴着用者が安全に立っていることに関する評価のために援用可能であるという利点がある。そのために加速度センサ素子は、特に、靴着用者のほうを向いている作業靴の内側領域に配置されるのが好ましい。さらに、加速度センサ素子を用いて検出された加速度特性量を、たとえば梯子などからの靴装着者の自由落下の有無の評価のためや、滑りやすい地面の上での靴装着者のスリップの評価のために利用できるという利点がある。さらに、加速度センサを用いて検出された加速度特性量を、靴着用者が危険状況にあるか否かを認識するために利用できるという利点があり、それは特に、加速度センサ素子が運動を検出しておらず、靴着用者が特定の時間帯にわたって１つの姿勢のまま、特に地面に対して相対的に少なくとも実質的に水平方向の姿勢のまま変わっていない場合である。
【０００８】
センサユニットは、少なくとも１つの温度特性量、特に靴着用者の体温、地面温度、および／または周囲温度を検出するために意図される少なくとも１つの温度センサ素子を含んでいるのが好ましい。すなわちセンサユニットは、作業靴の靴着用者の体温を検出するために意図される、体温センサ素子として構成された少なくとも１つの温度センサ素子を含んでいるのが好ましい。このとき体温センサ素子として構成される温度センサ素子は、作業靴の内側領域に配置されるのが好ましい。さらにセンサユニットは、作業靴がその上に配置された、および／またはその上で動く地面の地面温度を検出するために意図される、地面温度センサ素子として構成された少なくとも１つの温度センサ素子を含んでいるのが好ましい。このとき地面温度センサ素子として構成される温度センサ素子は、靴底に、特に靴底の地面接触面の領域に配置されるのが好ましい。さらにセンサユニットは、周囲温度、特に周囲空気温度を検出するために意図される、周囲温度センサ素子として構成された少なくとも１つの温度センサ素子を含んでいるのが好ましい。このとき周囲温度センサ素子として構成される温度センサ素子は、作業靴の外側領域に配置されるのが好ましい。このとき温度センサ素子は作業靴の上側材料に直接組み込まれていてよく、特に上側材料の素材に、たとえば上側材料の繊維に直接組み込まれていてよい。このように本発明に基づく構成により、作業靴の靴着用者の身体的な状態に関する、快適性機能の作動に関する、たとえば暖房や冷房の作動に関する、および／または地面の状態に関する、たとえば凍結の危険に関する評価のために利用される温度特性量を検出できるという利点がある。このとき、踏抜防護部材として構成された防護部材が熱伝導部材として構成されていて、これにたとえば作業靴の暖房部材および／または冷房部材が配置されており、踏抜防護部材として構成された防護部材が、金属素材からなる構成の結果として、良好な熱伝導を可能にすることが考えられ得る。さらに、踏抜防護部材として構成された防護部材が導電性プラスチックで構成されていれば、たとえば電圧の印加により、踏抜防護部材として構成された防護部材そのものが暖房部材として構成されていてよいことが考えられ得る。本発明に基づく構成により、着用者の高い安全性を可能化するために、多種多様な温度検出が可能であるという利点がある。
【０００９】
さらにセンサユニットは、少なくとも１つの圧力特性量、特に作業靴の靴着用者により靴底に作用する靴底圧力特性量を検出するために意図される、少なくとも１つの圧力センサ素子を含んでいることが提案される。このときセンサユニットは、作業靴の靴底に配置された単一の圧力センサ素子だけを含むか、またはセンサユニットは、靴底に分散されて配置されていて単一の圧力センサ領域または複数の圧力センサ領域を形成する多数の圧力センサ素子を有することが考えられ得る。センサユニットは、靴底に格子状に配置された多数の圧力センサ素子を有しているのが特別に好ましい。このとき、１つの圧力センサ素子または複数の圧力センサ素子は、靴底の地面接触面と反対を向いているほうの、パッシブな防護ユニットの踏抜防護部材の側に配置されることが考えられ得る。さらに、１つの圧力センサ素子または複数の圧力センサ素子はパッシブな防護ユニットの２つの踏抜防護部材の間に配置されることが考えられ得る。さらに、格子状に配置された圧力センサ素子が支持部材に、たとえばアクティブな防護ユニットのファブリックに配置されており、圧力センサ素子単位として作業靴に、特に作業靴の足底板領域に挿入可能であることが考えられ得る。このように、圧力センサ素子単位が靴中敷を形成することが考えられ得る。本発明に基づく構成により、作業靴に対する靴着用者の圧力負荷を正確に検出することができるという利点がある。特に多数の圧力センサ素子が配分される結果として、検出された圧力特性量の防護機能評価のために利用可能である作用場所の正確な検出を実現可能であるという利点がある。
【００１０】
さらに作業靴は、検出された加速度特性量を靴着用者が安全に立っていることの認識を目的として評価するため、および／または検出された圧力特性量を靴底負荷分布の認識を目的として評価するために少なくとも意図される、少なくとも１つの評価ユニットを含んでいることが提案される。「靴底負荷分布」とは、ここでは特に、作業靴の靴着用者により作業靴に対して、特に靴底に対して作用する力の、特に圧縮力の分布を意味するものとする。このとき評価ユニットは、１組の作業靴または単一の作業靴の特性量を評価するために意図されることが考えられ、たとえば１組の作業靴の個々の作業靴のそれぞれの評価ユニットの間で通信を行うことができる。本発明に基づく構成により、作業靴の靴着用者の安定性に関わる評価を実現できるという利点がある。たとえば靴着用者がひざまずいていること、梯子に乗っていること、地面の上に靴底が完全に載っていること、つま先で立っていることなどを推定できる評価を実現することができるという利点がある。
【００１１】
さらにセンサユニットは、少なくとも１つの位置特性量、特に少なくとも１つのグローバルな位置特性量、および／または少なくとも１つの相対的な作業領域位置特性量を検出するために意図される少なくとも１つの測位センサ素子を有することが提案される。そのためにセンサユニットは、ＧＰＳセンサ素子として構成された少なくとも１つのセンサ素子を含んでおり、これによって作業靴のグローバルな位置を検出可能であるのが好ましい。しかしながらセンサユニットは、グローバルな位置として構成される位置特性量の検出のために、当業者に有意義と思われるそれ以外のセンサ素子、たとえばコンパス測位センサ素子、ガリレオ測位センサ素子、ＧＬＯＮＡＳＳ測位センサ素子、北斗測位センサ素子などを有していることも考えられ得る。さらにセンサユニットは、たとえばＷＬＡＮネットワークや移動無線ネットワークを通じての継続測定により、作業領域内での作業靴の相対的な位置認識を可能にするために意図される、作業領域位置センサ素子として構成された少なくとも１つのセンサ素子を有しているのが好ましい。このようにして、たとえば緊急時に作業靴およびそれに伴う作業靴の靴着用者の確実な位置特定を可能にする、作業靴の位置の検出を実現できるという利点がある。このとき、少なくとも１つの位置特性量の検出は、危険状況が認識されたときに初めて行われることが考えられ得る。すなわち少なくとも１つの位置特性量の検出は、危険状況が存在しない間は不作動化されることが考えられ得る。
【００１２】
さらに作業靴は、電子データの交換のために少なくとも１つの外部のユニットと通信するために意図される、少なくとも１つの通信ユニットを含んでいることが提案される。通信ユニットは、ケーブルレス式の通信ユニットとして構成されるのが好ましい。このとき通信ユニットはＷＬＡＮ通信ユニットとして、ブルートゥース（登録商標）通信ユニットとして、無線通信ユニットとして、ＲＦＩＤ通信ユニットとして、ＮＦＣユニットとして、赤外通信ユニットとして、移動無線網通信ユニットとして、Ｚｉｇｂｅｅ通信ユニットなどとして構成されていてよい。通信ユニットは、双方向データ伝送のために意図されるのが特別に好ましい。別案の実施形態では、通信ユニットはケーブル式の通信ユニットとして構成され、たとえばＬＡＮ通信ユニットとして、ＵＳＢ通信ユニットとして、Ｐｏｗｅｒｌｉｎｅ通信ユニットとして、Ｃａｎｂｕｓ通信ユニットとして、イーサネット（登録商標）通信ユニットとして、ツイストペアケーブル通信ユニット（ＣＡＴ５またはＣＡＴ６）などとして構成される。しかしながら、通信ユニットがケーブルレス式またはケーブル式の通信の代替として、外部のユニットとケーブルレス式およびケーブル式の通信をするために意図されることも考えられ得る。外部のユニットはスマートフォンとして、パーソナルコンピュータとして、ラップトップとして、ネットブックとして、タブレットとして、会社中枢コンピュータとして、携帯型の工作機械として、出力ユニットとして、たとえばスピーカとして、作業着として、防護眼鏡として、防護ヘルメットとして、あるいは当業者に有意義と思われるその他の外部のユニットとして構成されていてよい。スマートフォンとして、パーソナルコンピュータとして、ラップトップとして、ネットブックとして、またはタブレットとしての実施形態では、通信ユニットとの通信のためのアプリが意図されるのが好ましい。しかしながら、外部のユニットが外部の持運び可能な操作ユニットとして、操作者の作業場に固定的に設置された操作ユニットとして、たとえば会社設定／安全性規定の結果として中央から制御することができる室内に固定的に設置された使用場所の同期化ユニットとして、身体特性量監視ユニットとして、または当業者に有意義と思われるその他の集中式または分散式の操作ユニット、入力ステーション、および／または集中的もしくは分散式のターミナルとして構成されることも考えられ得る。このようにして、電子データの同期化を可能にすることができるという利点がある。たとえばセンサユニットのセンサ素子によって作業靴の靴着用者の存在、特に作業靴の着用が認識されると、通信ユニットと外部のユニットとの間の接続が少なくとも部分的に自動的に構築される。このようにして、外部のユニットに保存されている設定事項を好ましくは直接的に作業靴へ、および／または作業靴から外部のユニットへ伝送可能である。ここでは、靴着用者の個別的な設定事項であり、または会社の設定であってよい。さらに通信ユニットによって、たとえば負荷限界の遵守のコントロールのために靴着用者の騒音負荷を伝送可能であり、および／または場合により生じる割増金の支払を会社中枢部などへ伝送可能である。本発明に基づく構成により、快適な、特に中央からの、特性量の調整を行うことができるという利点がある。さらには一人での監視を可能にできるという利点があり、それにより、会社中枢部は作業靴の靴着用者の状態に関して、および特に場合により生じる危険状況に関して情報を得ることができるという利点がある。このように、作業靴の靴着用者にとって高度の安全性を保証することができるという利点がある。
【００１３】
さらに作業靴は、少なくとも１つの作業靴パラメータ、特に作業靴快適性パラメータおよび／または作業靴安全性パラメータを、少なくとも１つの検出された個人関連の特性量および／または少なくとも１つの検出された環境特性量に依存して適合化するために意図される、少なくとも１つの制御ユニットおよび／または調節ユニットを含んでいることが提案される。このときセンサユニットは、作業靴の締付力特性量を検出するために意図される少なくとも１つのセンサ素子を含んでいることが考えられ得る。さらにアクティブな防護ユニットは、制御ユニットおよび／または調節ユニットとアクチュエータ部材との間のデータ伝送の結果として、少なくとも１つの検出された個人関連の特性量および／または少なくとも１つの検出された環境特性量に依存して締付力特性量を適合化するために意図される少なくとも１つのアクチュエータ部材を含むことができる。さらにセンサユニットは、地面の性質を検出するために意図される少なくとも１つの地面性質センサ素子を含んでいることも考えられ得る。このときアクティブなセンサユニットは、制御ユニットおよび／または調節ユニットとアクチュエータ部材との間のデータ伝送の結果として、作業靴の靴底の靴底特性、たとえば軟質、硬質、スパイク付き、スパイクなしなどを、少なくとも１つの検出された個人関連の特性量および／または少なくとも１つの検出された環境特性量に依存して適合化するために意図される少なくとも１つのアクチュエータ部材を含むことができる。さらに制御および／または調節は、作業靴のアクティブな冷房またはアクティブな暖房を、少なくとも１つの検出された個人関連の特性量および／または少なくとも１つの検出された環境特性量に依存して適合化することが考えられ得る。当業者に有意義と思われる作業靴快適性パラメータおよび／または作業靴安全性パラメータのこれ以外の適合化も、同じく考えられ得る。本発明に基づく構成により、作業靴の靴着用者の高い安全性と高い快適性を実現できるという利点がある。
【００１４】
さらに制御ユニットおよび／または調節ユニットは、少なくとも１つの作業靴パラメータ、特に作業靴快適性パラメータおよび／または作業靴安全性パラメータを少なくとも適合化するため、および／または出力ユニットにより安全性情報を出力するために利用可能である、少なくとも１つの安全性規則および／または動作範囲規則が格納された中央のデータバンクに、通信ユニットによってアクセスするために意図されることが提案される。制御ユニットおよび／または調節ユニットは、中央のデータバンクに格納されている安全性規則および／または動作範囲規則を自動的に評価して、少なくとも１つの作業靴パラメータの適合化のために安全性規則および／または動作範囲規則を自動的に解釈するのが好ましい。このとき作業靴は操作ユニットを追加的に有しており、これを用いて作業靴パラメータの適合化を、作業靴の靴着用者によって手動式に適合化可能であることが考えられ、それはたとえば、安全性規則および／または動作範囲規則の個別的な調整を可能にするためである。通信ユニットによって、通信ユニットによる中央のデータバンクへのアクセスに追加して、少なくとも１つの外部のユニットと電子データを交換可能であるのが特別に好ましい。このようにして、作業靴と他の外部のユニットとの間でデータ交換を行えるのが好ましく、それはたとえば作業靴と、たとえば安全ヘルメット、手袋、安全ジャケット、安全ズボンなどの作業着のセンサユニット、スマートフォン、ラップトップ、ＰＣ、ハンドヘルド、タブレット、サーバーなどとの間のデータ交換である。このとき、特にアクティブな防護ユニットのセンサユニットにより検出された特性量、および／または通信ユニットにより伝達されたデータを交換可能であり、および／または少なくとも１つの作業靴パラメータの適合化のために利用可能であるのが好ましい。外部のユニット、特にスマートフォンは、少なくとも通信ユニットと中央のデータバンクおよび／またはその他の外部のユニットとの間の中継個所として意図されるルータとして構成されているのが好ましい。このとき、個別的に調整された会社スマートフォンを使用するのが好ましい。さらに、制御ユニットおよび／または調節ユニットによる通信ユニットを通じてのたとえば会社ネットワーク、インターネットネットワークなどのネットワークとの接続の結果として、グローバルな位置として構成された位置特性量について、安全性調整事項および／または最新の気象データ（天候）が格納されているかどうかチェックすることができる。本発明に基づく構成により、安全性規則および／または動作範囲規則の少なくとも部分的に自動的な斟酌を、少なくとも１つの作業靴パラメータの適合化のために利用することができるという利点がある。このように、高い着用快適性や安全性機能の確実な遵守を保証することができるという利点がある。
【００１５】
さらにセンサユニットは、少なくとも部分的にパッシブな防護ユニットのパッシブな防護部材の内部または表面に配置されることが提案される。センサユニットの少なくとも１つのセンサ素子は、少なくとも部分的に足指防護キャップ部材に配置されるのが好ましい。そのようにして、パッシブな防護ユニットの少なくとも１つのパッシブな防護部材が、好ましくは足指防護キャップ部材として構成されるセンサユニットの内部または表面に配置される。さらにセンサユニットの少なくとも１つのセンサ素子は、少なくとも部分的に踏抜防護部材に配置される。このようにして、パッシブな防護ユニットの少なくとも１つのパッシブな防護部材が、好ましくは踏抜防護部材として構成されるセンサユニットの内部または表面に配置される。損傷に対する、特にセンサユニットのセンサ素子の損傷に対する、センサユニットの高い防護を実現できるという利点がある。
【００１６】
さらに作業靴は、アクティブな防護ユニットへのエネルギー供給のために少なくとも意図される、少なくとも１つのエネルギー供給ユニットおよび／またはエネルギー蓄積ユニットを含んでいることが提案される。エネルギー蓄積ユニットは蓄電池ユニットとして構成されるのが好ましい。蓄電池ユニットは、作業靴の少なくとも１つの充電インターフェースを用いて再充電可能であるのが好ましい。このとき充電インターフェースは誘導式充電インターフェースとして構成されていてよい。しかしながら、充電インターフェースがケーブル式の充電インターフェースとして構成されることも考えられ得る。エネルギー供給ユニットは、機械エネルギーを電気エネルギーに変換するために意図される変換エネルギー供給ユニットとして構成されるのが好ましい。このときエネルギー供給ユニットは、圧電式エネルギー供給ユニットとして構成されるのが好ましい。このようにして、エネルギー蓄積ユニットが充電インターフェースを介してエネルギー供給ユニットと接続されるのが好ましい。本発明に基づく構成により、自給的に作動可能な作業靴の安全性機能を具体化できるという利点がある。
【００１７】
さらに作業靴は、少なくとも１つの検出された個人関連の特性量および／または少なくとも１つの検出された環境特性量に少なくとも依存して、および／または通信ユニットにより伝送された情報に依存して、情報を出力するための少なくとも１つの出力ユニットを含んでいることが提案される。このとき出力ユニットは、触覚式、音響式、および／または光学式の出力ユニットとして構成されていてよい。出力ユニットは、作業靴に配置されていて情報の出力のために意図される少なくとも１つの出力部材を含んでいるのが好ましい。出力ユニットは、制御ユニットおよび／または調節ユニットによって制御可能および／または調節可能であるのが好ましい。本発明に基づく構成により、作業靴の靴着用者に情報を表示できるという利点がある。このようにして、作業靴の靴着用者が危険状況に対して警報を受けられるという利点がある。さらに、作業靴の靴着用者の周辺にいる他の者も、同じく危険状況に対して警報を受けられるという利点がある。
【００１８】
さらに、作業靴は作業領域を照明するための少なくとも１つの照明ユニットを含んでいることが提案される。照明ユニットは、作業靴の前にある作業領域を照明するために、作業靴の足指領域に配置されるのが特別に好ましい。しかしながら、照明ユニットはその代替または追加として、作業靴の前、横、および／または後の作業領域を照明するために、作業靴のくるぶし領域に配置されることも考えられ得る。照明ユニットはＬＥＤ照明ユニットとして構成されるのが特別に好ましい。しかしながら照明ユニットが、当業者に有意義と思われるそれ以外の構成、たとえば希ガス照明ユニット、レーザ光照明ユニットなどとしての構成を有することも考えられ得る。本発明に基づく構成により、靴着用者の高い安全性を実現できるという利点がある。暗い作業領域や照明の乏しい作業領域での安全な作業を可能にできるという利点がある。このようにして、作業領域への良好な視界を実現できるという利点がある。
【００１９】
さらに作業靴は、少なくとも１つの情報を地面へ投影するために意図される少なくとも１つの投影ユニットを含んでいることが提案される。投影ユニットは、作業靴の前の地面へ情報を投影するために、作業靴の足指領域に配置されるのが特別に好ましい。しかしながら、投影ユニットはその代替または追加として、作業靴の前、横、および／または後の地面へ情報を投影するために、作業靴のくるぶし領域に配置されることも考えられ得る。本発明に基づく構成により、情報の確実な読取り可能性を可能にできるという利点がある。さらに、情報の表示のために広い面積を利用可能である。
【００２０】
さらに、本発明による少なくとも１つの作業靴と、作業靴が電子データの交換のために作業靴の少なくとも１つの通信ユニットによって少なくとも通信する少なくとも１つの外部のユニットとを有する安全性システムが提案される。このようにして、高い安全性を保証できるという利点がある。
【００２１】
さらに、少なくとも１つの外部のユニットは持運び可能な工作機械として構成されることが提案される。「持運び可能な工作機械」とは、ここでは特に工作物を加工するための工作機械であって、操作者により輸送機械なしに持ち運ぶことができるものを意味するものとする。持運び可能な工作機械は特に４０ｋｇ未満、好ましくは１０ｋｇ未満、特別に好ましくは５ｋｇ未満の質量を有している。このとき、少なくとも１つの個人関連の特性量を参照して、および／または少なくとも１つの環境特性量を参照して、好ましくは作業靴の制御ユニットおよび／または調節ユニットによって、または持運び可能な工作機械の制御ユニットおよび／または調節ユニットによって、持運び可能な工作機械の安全性機能および／または持運び可能な工作機械に配置可能な工作機械付属品ユニットの安全性機能を制御可能および／または調節可能であるのが好ましい。このとき、たとえば作業靴の制御ユニットおよび／または調節ユニットによって、または持運び可能な工作機械の制御ユニットおよび／または調節ユニットによって、たとえばキックバックパラメータ、最大のトルク、最大の回転数、打撃エネルギー、防護フード位置、および／または過負荷クラッチリリーストルクなどの安全性パラメータを調整可能である。このとき安全性パラメータは、工作機械の種類に依存して決まるのが好ましい。このようにして、安全性機能の快適な調整を可能にできるという利点がある。さらに、持運び可能な工作機械を操作するときの靴着用者の高い安全性を実現できるという利点がある。
【００２２】
このとき本発明による作業靴および／または本発明による安全性システムは、上に説明した用途や実施形態だけに限定されるものではないとする。特に、本発明による作業靴および／または本発明による安全性システムは、ここに説明している機能形態を遂行するために、ここに挙げている個々の部材、コンポーネント、ユニットの個数とは相違する個数を有することができる。さらに、ここでの開示で値範囲が記載されている場合、挙げられている限度内にある値も開示されていて任意に採用可能であるとみなされるものとする。
【００２３】
上記以外の利点は以下の図面の説明から明らかとなる。図面には本発明の一実施例が示されている。図面、発明の詳細な説明、および特許請求の範囲は、数多くの構成要件を組合せた形で含んでいる。当業者は、これらの構成要件を目的に即して単独で考察し、有意義な別の組合せにまとめることができる。
【図面の簡単な説明】
【００２４】
【図１】少なくとも１つの作業靴と少なくとも１つの外部のユニットとを有する本発明の安全性システムを示す模式図である。
【図２】本発明による作業靴を模式的な図面で示す詳細図である。
【図３】本発明による作業靴を模式的な図面で示す部分断面図である。
【発明を実施するための形態】
【００２５】
図１は、少なくとも１つの作業靴１０と、作業靴１０が電子データの交換のために作業靴１０の少なくとも１つの通信ユニット３０によって少なくとも通信する少なくとも１つの外部のユニット３２とを有する安全性システム５０を示している。全体として、この安全性システム５０は少なくとも２つの作業靴１０を有しており、これらが共同で１組を形成する（図１では一方の作業靴１０だけを図示）。しかしながら、１組の作業靴のうち一方の作業靴１０だけが通信ユニット３０および／またはその他のユニットを有するように構成されて、それにより特性量を検出し、および／または電子データを外部のユニット３２と交換することも考えられ得る。外部のユニット３２は持運び可能な工作機械として構成されている。しかしながら、外部のユニット３２が当業者に有意義と思われるその他の構成を有することも考えられ得る。
【００２６】
持運び可能な工作機械として構成された外部のユニット３２は、図１では一例としてアンギュラ研削機として構成されている。しかしながら、持運び可能な工作機械として構成される外部のユニット３２は、当業者に有意義と思われるこれ以外の工作機械として、たとえば丸鋸、ドリルマシン、打撃穿孔機、ドリルハンマーおよび／またはチッピングハンマーなどとして構成されることも考えられ得る。作業靴１０の通信ユニット３０と通信をするために、外部のユニット３２は、少なくともデータ伝送方式に関して作業靴１０の通信ユニット３０と対応するように構成された、少なくとも１つの対応通信ユニット５２を含んでいる。さらに外部のユニット３２は、少なくとも１つの特性量を検出するために意図される少なくとも１つのセンサユニットを有することができ、検出された特性量は、対応通信ユニット５２と通信ユニット３０との協働作用によって、以後の処理および／または保存のために作業靴１０へと伝送可能である。
【００２７】
図２は作業靴１０の詳細図を示している。作業靴１０はここでは安全靴として構成されている。すなわち作業靴１０は、靴着用者（ここには詳しくは図示せず）を少なくとも機械的および／または電気的な負荷に対してパッシブに防護するために意図される、少なくとも１つのパッシブな防護ユニット１２を含んでいる。ここではパッシブな防護ユニット１２は、足指防護キャップ部材として構成された少なくとも１つの防護部材３６を含んでいる。足指防護キャップ部材として構成された防護部材３６は、当業者にはすでに周知である仕方により、作業靴１０の足指領域に配置されている。ここでは足指防護キャップ部材として構成される防護部材３６は、金属の素材で構成されるのが好ましい。しかしながら、足指防護キャップ部材として構成される防護部材３６がプラスチックで構成されることも考えられ得る。さらにパッシブな防護ユニット１２は、踏抜防護部材として構成された少なくとも１つの防護部材３８を含んでいる。踏抜防護部材として構成される防護部材３８は、当業者にはすでに周知である仕方により、作業靴１０の靴底５４の内部または表面に配置されている。ここでは踏抜防護部材として構成される防護部材３８は、金属素材で構成されるのが好ましい。しかしながら、踏抜防護部材として構成される防護部材３８がプラスチックまたはファブリック構造物、たとえばケブラー構造物で構成されることも考えられ得る。
【００２８】
さらに作業靴１０は、少なくとも防護機能および／または快適性機能を可能化するための少なくとも１つの特性量を検出するために意図される少なくとも１つのセンサユニット１６を有する、少なくとも１つのアクティブな防護ユニット１４を含んでいる。センサユニット１６は、少なくとも１つの個人関連の特性量および／または少なくとも１つの環境特性量を検出するために少なくとも意図される。ここではセンサユニット１６は、少なくとも１つの温度特性量を検出するために意図される少なくとも１つの温度センサ素子１８を含んでいる。温度センサ素子１８は、靴着用者の体温を検出するために意図される体温センサ素子として構成されている。そのために温度センサ素子１８は作業靴１０の内側領域に、特に靴着用者のほうを向くように、かつ作業靴１０の着用時に靴着用者に直接当接する内側領域に配置されている。ここでは体温センサ素子として構成される温度センサ素子１８は、直接的な接触の結果として温度特性量を検出する接触センサ素子として構成されていてよく、または、体温センサ素子として構成される温度センサ素子１８は、たとえば赤外波のような電磁波を用いて温度特性量を検出する無接触式のセンサ素子として構成されていてよい。
【００２９】
さらにセンサユニット１６は、少なくとも１つの別の温度特性量を検出するために意図される、少なくとも１つの別の温度センサ素子２０を含んでいる。ここでは別の温度センサ素子２０は、作業靴１０が上に配置される地面（ここには詳しくは図示せず）の地面温度を検出するために意図される地面温度センサ素子として構成されている。そのために別の温度センサ素子２０は、作業靴１０の靴底５４に配置される。別の温度センサ素子２０は、接触センサ素子または無接触式のセンサ素子として構成されていてよい。このとき別の温度センサ素子２０は、地面のほうを向いている靴底５４の靴底面５６に配置されていてよく、または、別の温度センサ素子２０は靴底面５６に対して横向きに延びている靴底５４の側面５８に配置されていてよく、この場合、別の温度センサ素子２０は地面の方向に向いた検出角を有している。
【００３０】
さらにセンサユニット１６は、少なくとも１つの追加の温度特性量を検出するために意図される、少なくとも１つの追加の温度センサ素子２２を含んでいる。ここでは追加の温度センサ素子２２は、作業靴１０を取り囲む環境の周囲温度、特に周囲空気温度を検出するために意図される周囲温度センサ素子として構成される。そのために追加の温度センサ素子２２は、作業靴１０の外面に配置されている。このとき追加の温度センサ素子２２は、作業靴１０の上側材料の素材に直接組み込まれていてよい。
【００３１】
さらにセンサユニット１６は、少なくとも電気的な特性量を検出するために意図される少なくとも１つの電気センサ素子６６を含んでいる。電気センサ素子６６は容量式のセンサ素子として構成されている。ここでは電気センサ素子６６は、抵抗として構成される電気的な特性量を検出するために意図される。そのために電気センサ素子６６は、作業靴１０の靴底５４に配置されている。すなわち電気センサ素子６６は、地面の伝導性を検出するために意図される。しかしながら、電気センサ素子６６が当業者に有意義と思われるその他の構成を有しており、あるいは、電気センサ素子６６が当業者に有意義と思われる作業靴１０のその他の位置に配置されることも考えられ得る。さらにセンサユニット１６は、単一の電気センサ素子６６とは異なる個数の電気センサ素子６６を有することが考えられ得る。さらにセンサユニット１６は、少なくとも１つの別の電気的な特性量を検出するために意図される、少なくとも１つの別の電気センサ素子７０を含んでいる。ここでは電気センサ素子７０は、電圧として構成される電気的な特性量を検出するために意図されている。
【００３２】
さらにセンサユニット１６は、少なくとも１つの周囲ガス特性量を検出するために意図される少なくとも１つのガスセンサ素子６８を含んでいる。ガスセンサ素子６８は作業靴１０の外面に配置されている。このようにして、少なくとも１つの周囲ガス特性量が検出される結果として、周囲空気のガス組成を評価可能であるという利点がある。したがって靴着用者は、周囲空気の危険なガス組成に対して、たとえば二酸化炭素割合や一酸化炭素割合が高い周囲空気のガス組成に対して警報を受けることができ、あるいは、特に作業靴１０の出力ユニット４４によってガス組成を出力可能であるという利点がある。
【００３３】
さらにセンサユニット１６は、少なくとも１つの圧力特性量、特に靴着用者により作業靴１０の靴底５４に対して作用する靴底圧力特性量を検出するために意図される、少なくとも１つの圧力センサ素子２４を含んでいる。センサユニット１６は、作業靴１０の靴底５４に配置された多数の圧力センサ素子２４を含んでいるのが好ましい。これらの圧力センサ素子２４は、作業靴１０の靴底５４で領域ごとに配分されて配置される。このとき圧力センサ素子２４のうちいくつかは、作業靴１０の靴底５４の前足領域に配置される。圧力センサ素子２４のうちいくつかは、作業靴１０の靴底５４の中足領域に配置される。さらに圧力センサ素子２４のうちいくつかは、作業靴１０の靴底５４のかかと領域に配置される。作業靴１０の靴底５４の前足領域、中足領域、およびかかと領域に配置される圧力センサ素子２４は、互いに独立して評価可能であるのが好ましい。しかしながら、圧力センサ素子２４が作業靴１０の靴底５４の領域全体にわたって均等に配分されて配置されることも考えられ得る。このとき圧力センサ素子２４は、パッシブな防護ユニット１２の踏抜防護部材として構成された防護部材３８の、靴底面５６と反対を向いている側で作業靴１０の靴底５４に配置されるか、または、圧力センサ素子２４が作業靴１０の靴底５４に組み込まれることが考えられ得る。さらに圧力センサ素子２４は、ケーブルレス式またはケーブル式の接続部によって作業靴１０に接続可能である、作業靴１０から取外し可能な靴中敷を形成することが考えられ得る。
【００３４】
さらに作業靴１０は、検出された圧力特性量を靴底負荷分布の認識を目的として評価するために少なくとも意図される、少なくとも１つの評価ユニット２６を含んでいる。このとき評価ユニット２６は、特に、センサユニット１６により検出されるすべての特性量を二次処理を目的として評価するために意図される。さらに評価ユニット２６は、作業靴ペアの両方の作業靴１０の圧力特性量を評価し、または、作業靴ペアの片方の作業靴１０の圧力特性値だけを評価するために意図されていてよい。このとき検出される圧力特性量の評価の結果として、特に靴着用者により作業靴１０の靴底５４に対して作用する靴底圧力特性量の評価の結果として、靴着用者がひざまずいていること、梯子に乗っていること、地面の上に靴底５４が完全に載っていること、つま先で立っていることなどを推定可能である。このようにして、検出される圧力特性量の評価によって、特に靴着用者により作業靴１０の靴底５４に対して作用する靴底圧力特性量の評価によって、靴着用者の姿勢の結果としての作業靴１０の向きおよび／または作業靴１０の負荷種類を推定できるという利点がある。
【００３５】
さらにセンサユニット１６は、周囲圧力特性量として構成される圧力特性量を検出するために意図される、少なくとも１つの別の圧力センサ素子６０を含んでいる。このようにして、たとえば評価ユニット２６により、作業靴１０が位置している高度を推定可能であるという利点がある。このとき別の圧力センサ素子６０は作業靴１０の外面に配置される。さらにセンサユニット１６は、少なくとも１つの圧力特性量の検出のために意図される、当業者に有意義と思われるその他の圧力センサ素子２４を含むことができる。
【００３６】
さらにセンサユニット１６は、少なくとも１つの位置特性量、特に少なくとも１つのグローバルな位置特性量および／または少なくとも１つの相対的な作業領域位置特性量を検出するために意図される、少なくとも１つの測位センサ素子２８を含んでいる。そのためにセンサユニット１６は、グローバルな位置特性量を検出するために意図される、グローバル測位センサ素子として構成される少なくとも１つの測位センサ素子２８を含んでいる。グローバル測位センサ素子として構成される測位センサ素子２８は、ＧＰＳ測位素子として構成されるのが好ましい。さらにセンサユニット１６は、少なくとも１つの相対的な作業領域位置特性量を検出するために意図される、少なくとも１つの作業領域測位センサ素子６４を含んでいる。作業領域測位センサ素子６４は、作業靴１０の少なくとも１つの向き、たとえば水平方向の向きまたは垂直方向の向きを検出するために意図されるのが好ましい。このように作業領域測位センサ素子６４は少なくとも姿勢センサ素子として、たとえば多軸の加速度センサ素子、ジャイロセンサ素子、ヨーレートセンサ素子などとして構成される。しかしながら、センサユニット１６が作業領域測位センサ素子６４による作業領域位置特性量の検出の追加または代替として、通信ユニット３０の信号の進行時間測定によって少なくとも１つの相対的な作業領域位置特性量を検出することも考えられ得る。このようにして、たとえば評価ユニット２６による位置特性量の評価の結果として、靴着用者がどのような空間的な姿勢にあるのかを認識可能である。それにより、特にセンサユニット１６の加速度センサ素子７４が運動を何も検出せず、靴着用者が所定の時間帯を通じて１つの姿勢のまま変化しないときに、靴着用者が危険な状況にあるかどうか推定できるという利点がある。さらに加速度センサ素子７４により、たとえば筋肉の痙攣として構成される加速度特性量を検出可能であり、これを靴着用者の危険な状況の認識のために援用可能であり、それはたとえば衰弱状態の発作の認識、安全に立っていることの認識、たとえば梯子で安全に立っていることの認識、つま先で立っていることなどである。このようにセンサユニット１６は、靴着用者が安全に立っていることの評価のために少なくとも援用可能である少なくとも１つの加速度特性量を検出するために意図される、少なくとも１つの加速度センサ素子７４を含んでいる。このとき検出される加速度特性量は、少なくとも靴着用者が安全に立っていることの認識のために評価ユニット２６によって評価される。さらにセンサユニット１６は、評価ユニット２６により評価可能である少なくとも１つの個人関連の特性量および／または少なくとも１つの環境特性量を検出するために意図される、当業者に有意義と思われるその他のセンサ素子、たとえば湿度センサ素子、ｐＨ値センサ素子、脈拍センサ素子、血圧センサ素子などを含むことができる。
【００３７】
センサユニット１６は、少なくとも部分的に、パッシブな防護ユニット１２のパッシブな防護部材３６，３８の内部または表面に配置されるのが好ましい。このとき、センサユニット１６の少なくとも１つのセンサ素子が、たとえばグローバル測位センサ素子として構成された測位センサ素子２８が、足指防護キャップ部材として構成された防護部材３６の中に配置されることが考えられ得る（図３）。このようにして、足指防護キャップ部材として構成された防護部材３６が、センサユニット１６のハウジングを形成することができる。さらに、作業靴１０の他のユニットが少なくとも部分的に、パッシブな防護ユニット１２の内部または表面に配置されることが考えられ、それは、たとえば作業靴１０のエネルギー供給ユニット４０、作業靴１０のエネルギー蓄積ユニット４２などである。さらに、センサユニット１６は別案の実施形態において少なくとも部分的に、踏抜防護部材として構成された防護部材３８に配置されることが考えられ得て、このとき踏抜防護部材として構成される防護部材３８は、金属素材からなる構成の場合、センサユニット１６のための冷却体として意図されていてよい。
【００３８】
作業靴１０は、電子データを交換することを目的として少なくとも１つの外部のユニット３２と通信するために意図される通信ユニット３０を少なくとも含んでいる。このとき、電子データはセンサユニット１６の生データとして構成されるか、または、電子データは評価ユニット２６によってすでに評価されたデータであることが考えられ得る。通信ユニット３０は、適当な外部のユニット３２が通信のために到達範囲内にあるかどうか、作業靴１０の着用中に自動的にチェックするために意図される。適当な外部のユニット３２が認識されて接続されると、電子データの交換が開始される。携帯可能な工作機械、特にアンギュラ研削機として構成される図１に示す外部のユニット３２では、センサユニット１６で検出された少なくとも１つの個人関連の特性量および／または環境特性量の評価ユニット２６による評価の結果として梯子の上での作業が認識され、携帯可能な工作機械として構成された外部のユニット３２と作業靴１０との間の通信の結果として、携帯可能な工作機械として構成された外部のユニット３２のキックバック調整を、少なくとも部分的に自動的に適合化可能であることが考えられ得る。このようにして、使用工具が急に挟まったときに靴着用者にとっての怪我の危険を低く抑えることができるという利点があり、そのようにして梯子からの転落も防止できるという利点がある。
【００３９】
さらに、たとえばセンサユニット１６で検出された少なくとも１つの個人関連の特性量および／または環境特性量の評価ユニット２６による評価の結果として、梯子からの靴着用者の自由落下を認識可能である。そのために、センサユニット１６の加速度センサ素子７４により検出された加速度特性量を評価ユニット２６によって評価可能である。それをうけて通信ユニット３０により、自由落下の認識を外部のユニット３２へと転送可能であり、この場合、たとえば携帯可能な工作機械として構成された外部のユニット３２は、靴着用者の危険を低減し、考えられる怪我を回避するために自動的にスイッチオフ可能である。さらに、たとえばセンサユニット１６で検出された少なくとも１つの個人関連の特性量および／または環境特性量の評価ユニット２６による評価の結果として、転落後の靴着用者の衝突を認識可能である。そのために、センサユニット１６の検出された圧力特性量と姿勢特性量を評価可能である。このようにして、靴着用者がまだ立っているか横たわっているか、あるいは、転落時に怪我をした可能性があるかどうかを認識できるという利点がある。さらに、たとえば失神が生じているかどうかの厳密化を行うことができる。そのために、センサユニット１６の検出された生体特性値、たとえば脈拍特性値を評価可能である。事故通報および／または危険通報を通信ユニット３０により、管理センターとして構成された外部のユニット（ここには詳しくは図示せず）へ行うことができ、または、事故通報所として構成された外部のユニット（ここには詳しくは図示せず）へ伝えることができる。通信ユニット３０による通信が不作動化しているとき、および／または不可能であるとき、作業靴１０の記憶装置ユニット（ここには詳しくは図示せず）に電子データを保存可能である。このようにして記憶装置ユニットを、たとえば定義された時間単位のデータを保存し、これを継続して書き換えるデータレコーダー／イベントレコーダーとして利用できるという利点がある。
【００４０】
さらに作業靴１０は、少なくとも１つの作業靴パラメータ、特に作業靴快適性パラメータおよび／または作業靴安全性パラメータを、少なくとも１つの検出された個人関連の特性量および／または少なくとも１つの検出された環境特性量に依存して適合化するために意図される、少なくとも１つの制御ユニットおよび／または調節ユニット３４を含んでいる。このとき制御ユニットおよび／または調節ユニット３４によって、たとえば作業靴１０の暖房ユニット（ここには詳しくは図示せず）の暖房機能や冷房ユニット（ここには詳しくは図示せず）の冷房機能を、少なくとも１つの検出された個人関連の特性量および／または少なくとも１つの検出された環境特性量に依存して適合可能であることが考えられ得る。さらに、通信ユニット３０による電子データの交換の結果として、少なくとも１つの作業靴パラメータ、特に作業靴快適性パラメータおよび／または作業靴安全性パラメータの適合化が制御ユニットおよび／または調節ユニット３４によって行われることも考えられ得る。このとき、たとえば作業靴１０の暖房ユニット（ここには詳しくは図示せず）の暖房機能や冷房ユニット（ここには詳しくは図示せず）の冷房機能を、スマートフォンとの通信によって制御可能および／または調節可能であるようにできる。
【００４１】
さらに制御ユニットおよび／または調節ユニット３４は、少なくとも１つの作業靴パラメータの適合化のために、および／または作業靴１０の出力ユニット４４による安全性情報の出力のために少なくとも利用可能である少なくとも１つの安全性規則および／または動作範囲規則が格納された中央のデータバンクへ、通信ユニット３０によってアクセスするために意図される。このようにして、たとえば靴着用者は出力ユニット４４により、自分がいる領域でどのような安全性規則および／または動作範囲規則が有効であり、遵守可能であるかに関して情報を受けることが可能である。
【００４２】
さらに作業靴１０は、アクティブな防護ユニット１４へエネルギー供給をするために、少なくとも１つのエネルギー供給ユニット４０および／またはエネルギー蓄積ユニット４２（図２および３）を含んでいる。ここではエネルギー供給ユニット４０は、少なくとも１つの圧電素子６２を有する圧電式エネルギー供給ユニットとして構成されている。圧電素子６２はここでは作業靴１０の靴底５４に配置されている。ここには詳しくは図示しない作業靴１０の実施形態では、踏抜防護部材として構成された防護部材３８が２層に構成され、踏抜防護部材として構成された防護部材３８の２つの層の間に圧電素子６２が配置される。このときエネルギー供給ユニット４０は、踏抜防護部材として構成された防護部材３８の２つの層の間に配分されて配置された多数の圧電素子６２を含んでいるのが好ましい。しかしながらエネルギー供給ユニット４０は、別案として誘導エネルギー供給ユニットとして、またはケーブルエネルギー供給ユニットとして構成されていてもよい。さらにエネルギー供給ユニット４０は、当業者にすでに知られている仕方により、エネルギー供給回線（ここには詳しくは図示せず）によってエネルギー蓄積ユニット４２と接続されている。エネルギー蓄積ユニット４２は、ここでは蓄電池ユニットとして構成されている。このときエネルギー蓄積ユニット４２は、作業靴１０の靴底５４に配置されている（図３）。ここではエネルギー蓄積ユニット４２は交換可能なように、作業靴１０の靴底５４に配置されていてよい。さらにエネルギー蓄積ユニット４２は、エネルギー供給回線によって作業靴１０と接続可能で、たとえば靴着用者が身につけるベルトに配置可能である、外部のエネルギー蓄積ユニットとして構成されることが考えられ得る。エネルギー供給ユニット４０および／またはエネルギー蓄積ユニット４２は、たとえばエネルギー蓄積ユニット４２のエネルギー含有量が低いときに出力ユニット４４によって通報を出力するなど、アクティブな防護ユニット１４の基本機能を非常動作で可能にするために意図される少なくとも１つのバックアップユニットを含んでいる。
【００４３】
作業靴１０は、少なくとも１つの検出された個人関連の特性量および／または少なくとも１つの検出された環境特性量に少なくとも依存して、および／または通信ユニット３０により伝送される情報に依存して、情報を出力するための出力ユニット４４を少なくとも含んでいる。このようにして、たとえば出力ユニット４４によって種々の温度特性量を表示可能であり、そのために出力ユニット４４はディスプレイとして構成された少なくとも１つの表示部材、および／または発光部材として、特にＬＥＤとして構成された出力部材を含んでいる。たとえば地面温度をカラーの段階で表示可能であり、特に青色が５０℃未満の温度、緑色が２０℃の温度、赤色が４０℃超の温度をあらわす。このようにして出力ユニット４４により、危険が迫っているときに（電流が通っている地面、地面上にある刺激性の液体、高すぎる地面温度、路面凍結の危険など）警告メッセージを出力できるという利点がある。さらに出力ユニット４４により、通信ユニット３０が外部のユニット３２と接続されているかどうかの視覚的な応答メッセージを靴着用者に出すことが可能である。このようにして靴着用者は、通信接続が確実に成立しているかどうか確認できるという利点がある。このとき追加的に、どのような種類の外部のユニットと通信ユニット３０が接続されて通信しているかを、出力ユニット４４が靴着用者へ追加的に表示することが考えられ得る。
【００４４】
さらに作業靴１０は、作業領域を照明するための少なくとも１つの照明ユニット４６を含んでいる。照明ユニット４６は、作業靴１０のつま先領域に配置され、作業領域の照明のために意図される少なくとも１つの照明部材７２を含んでいる。照明部材７２はＬＥＤとして構成されている。照明ユニット４６は、単一の照明部材７２とは相違する個数の照明部材７２を有することができ、これらが作業靴１０に配置されて、作業領域を照明するために意図される。このとき照明ユニット４６は靴着用者によって手動式に制御可能であるか、または照明ユニット４６は、特にセンサユニット１６の光センサ部材（ここには詳しくは図示せず）により検出される少なくとも１つの光特性量に少なくとも依存して、制御ユニットおよび／または調節ユニット３４によって制御可能および／または調節可能であることが考えられ得る。
【００４５】
さらに作業靴１０は、少なくとも１つの情報を地面に投影するために意図される、少なくとも１つの投影ユニット４８を含んでいる。投影ユニット４８により、靴着用者の周辺区域にいる人物が好ましくは危険に関して情報を受けることが可能であり、または、緊急状況のときに靴着用者の状態に関して情報を受けることが可能であるという利点がある。投影ユニット４８はビームユニットとして構成されるのが好ましい。このとき投影ユニット４８はレーザビームユニットとして、あるいは当業者に有意義と思われるその他の投影ユニットとして構成されていてよい。
【符号の説明】
【００４６】
１０  作業靴
１２  パッシブな防護ユニット
１４  アクティブな防護ユニット
１６  センサユニット
１８，２０，２２  温度センサ素子
２４  圧力センサ素子
２６  評価ユニット
２８  測位センサ素子
３０  通信ユニット
３２  外部のユニット
３４  制御ユニットおよび／または調節ユニット
３６，３８  パッシブな防護部材
４０  エネルギー供給ユニット
４２  エネルギー蓄積ユニット
４４  出力ユニット
４６  照明ユニット
４８  投影ユニット
５４  靴底
７４  加速度センサ素子
【図１】
0006715191.tif 000002
【図２】
0006715191.tif 000003
【図３】
0006715191.tif 000004